(57)【要約】      （修正有）【課題】容易にダイジェストを視聴可能な携帯端末と、携帯端末にダイジェストを送信する情報処理装置とを有するデータ送受信システムを提供すること。【解決手段】携帯端末は、ユーザに関連する情報である関連を取得し、取得された関連情報を保持し、保持された関連情報を送信し、携帯端末の位置を検出し、検出された位置が予め設定された条件を満たす場合に、ダイジェストの送信を要求する送信要求信号を送信し、関連情報に基づいたダイジェストを受信する。情報処理装置は、情報を記憶し、ユーザに関連する情報である関連情報を受信し、関連情報を受信すると受信した関連情報に基づいて記憶された情報を要約したダイジェスト情報を生成し、生成されたダイジェスト情報を保持し、ダイジェスト情報の送信を要求する送信要求信号を受信し、送信要求信号を受信すると保持されたダイジェスト情報を送信する。【選択図】  図１
2007258856.tif 000002
【特許請求の範囲】
【請求項１】
情報を要約したダイジェスト情報を携帯端末で受信する受信方法であって、
ユーザに関連する情報である関連情報を取得するステップと、
前記取得された関連情報を保持するステップと、
前記保持された関連情報を送信するステップと、
前記携帯端末の位置を検出するステップと、
前記検出された位置が予め設定された条件を満たす場合に、ダイジェスト情報の送信を要求する送信要求信号を送信するステップと、
前記関連情報に基づいたダイジェスト情報を受信するステップと、
を有することを特徴とする受信方法。
【請求項２】
前記関連情報および前記送信要求信号は情報処理装置に送信され、前記ダイジェスト情報は前記情報処理装置から送信されることを特徴とする請求項１に記載の受信方法。
【請求項３】
前記関連情報とは、前記ユーザの嗜好を示す嗜好情報であることを特徴とする請求項１または２に記載の受信方法。
【請求項４】
前記位置を検出するステップでは、前記携帯端末が第１の地点を通過したことを検出し、
前記条件とは、前記携帯端末が前記第１の地点を通過した場合であることを特徴とする請求項１ないし３のいずれかに記載の受信方法。
【請求項５】
前記第１の地点とは、改札またはゲートであることを特徴とする請求項４に記載の受信方法。
【請求項６】
情報を要約したダイジェスト情報を情報処理装置から送信する送信方法であって、
情報を記憶するステップと、
ユーザに関連する情報である関連情報を受信するステップと、
前記関連情報を受信すると、前記受信した関連情報に基づいて前記記憶された情報を要約したダイジェスト情報を生成するステップと、
前記生成されたダイジェスト情報を保持するステップと、
前記ダイジェスト情報の送信を要求する送信要求信号を受信するステップと、
前記送信要求信号を受信すると、保持されたダイジェスト情報を送信するステップと、
を有することを特徴とする送信方法。
【請求項７】
前記関連情報および前記送信要求信号は携帯端末から送信され、
前記ダイジェスト情報は前記携帯端末に送信されることを特徴とする請求項６に記載の送信方法。
【請求項８】
前記受信する関連情報には、時間長を示す情報が付加されており、
前記ダイジェスト情報の再生時間長は、前記時間長を示す情報と合うように生成されることを特徴とする請求項６または７に記載の送信方法。
【請求項９】
前記関連情報とは、前記携帯端末のユーザの嗜好を示す嗜好情報であることを特徴とする請求項６ないし８のいずれかに記載の送信方法。
【請求項１０】
情報を要約したダイジェスト情報を受信可能な携帯端末であって、
ユーザに関連する情報である関連情報を取得する取得手段と、
前記取得手段により取得された関連情報を保持する保持手段と、
前記関連情報を送信する第１の送信手段と、
前記携帯端末の位置を検出する位置検出手段と、
前記位置検出手段で検出した位置が、予め設定された条件を満たす場合に、前記送信要求信号を送信する第２の送信手段と、
前記関連情報に関連したダイジェスト情報を受信する受信手段と、
を備えることを特徴とする携帯端末。
【請求項１１】
前記第１の送信手段は、前記関連情報を情報処理端末に送信し、
前記第２の送信手段は、前記送信要求信号を前記情報処理端末に送信し、
前記受信手段は、前記情報処理端末から前記ダイジェスト情報を受信することを特徴とする請求項１０に記載の携帯端末。
【請求項１２】
前記関連情報とは、前記ユーザの嗜好を示す嗜好情報であることを特徴とする請求項１０または１１に記載の携帯端末。
【請求項１３】
前記位置検出手段は、前記携帯端末が第１の地点を通過したことを検出し、
前記条件とは、前記携帯端末が前記第１の地点を通過した場合であることを特徴とする請求項１０ないし１２のいずれかに記載の携帯端末。
【請求項１４】
前記第１の地点とは、改札またはゲートであることを特徴とする請求項１３に記載の携帯端末。
【請求項１５】
前記携帯端末は、前記改札またはゲート通過してから次に改札またはゲートを通過するまでの経過時間を示す時間情報を前記情報処理装置に送信する第３の送信手段を備えることを特徴とする請求項１４に記載の携帯端末。
【請求項１６】
情報を要約したダイジェスト情報を送信する情報処理装置であって、
情報を記憶する記憶手段と、
ユーザに関連する情報である関連情報を受信する第１の受信手段と、
前記関連情報を受信すると、前記受信した関連情報に基づいて前記記憶手段に記憶された情報を要約したダイジェスト情報を生成する生成手段と、
前記生成されたダイジェスト情報を保持する保持手段と、
前記ダイジェスト情報の送信を要求する送信要求信号を受信する第２の受信手段と、
前記送信要求信号を受信すると、前記保持されたダイジェスト情報を送信する送信手段と、
を備えることを特徴とする情報処理装置。
【請求項１７】
前記第１の受信手段は、携帯端末から前記関連情報を受信し、
前記第２の受信手段は、前記携帯端末から前記送信要求信号を受信し、
前記送信手段は、前記携帯端末に前記ダイジェスト情報を送信することを特徴とする請求項１６に記載の情報処理装置。
【請求項１８】
前記関連情報とは、前記ユーザの嗜好を示す嗜好情報であることを特徴とする請求項１６または１７に記載の情報処理装置。
【請求項１９】
前記情報処理装置は、時間長を示す情報を受信する第３の受信手段を備え、
前記生成手段は、前記第３の受信手段により受信した情報が示す時間長に対応した再生時間長のダイジェスト情報を生成することを特徴とする請求項１６ないし１８のいずれかに記載の情報処理装置。
【請求項２０】
情報を要約したダイジェスト情報を情報処理装置から携帯端末に送信するデータ送受信システムであって、
前記携帯端末は、
ユーザに関連する情報である関連情報を取得する取得手段と、
前記取得手段により取得された関連情報を保持する保持手段と、
前記関連情報を前記情報処理装置に送信する第１の送信手段と、
前記携帯端末の位置を検出する位置検出手段と、
前記位置検出手段で検出した位置が、予め設定された条件を満たす場合に、前記送信要求信号を前記情報処理装置に送信する第２の送信手段と、
前記情報処理装置から送信された前記関連情報に関連したダイジェスト情報を受信するダイジェスト情報受信手段と、を備え、
前記情報処理装置は、
情報を記憶する記憶手段と、
前記携帯端末から前記関連情報を受信する第１の受信手段と、
前記関連情報を受信すると、前記受信した関連情報に基づいて前記記憶手段に記憶された情報を要約したダイジェスト情報を生成する生成手段と、
前記生成されたダイジェスト情報を保持するダイジェスト情報保持手段と、
前記ダイジェスト情報の送信を要求する送信要求信号を受信する第２の受信手段と、
前記送信要求信号を受信すると、保持されたダイジェスト情報を送信するダイジェスト情報送信手段と、を備えることを特徴とするデータ送受信システム。
【請求項２１】
前記関連情報とは、前記ユーザの嗜好を示す嗜好情報であることを特徴とする請求項２０に記載のデータ送受信システム。
【請求項２２】
前記携帯端末は、前記携帯端末の位置を検出する位置検出手段を備え、
前記ダイジェスト情報送信手段は、前記位置検出手段が検出した位置が予め設定された条件を満たす場合に、前記送信要求信号を前記情報処理装置に送信することを特徴とする請求項２０または２１に記載のデータ送受信システム。
【請求項２３】
前記位置検出手段は、前記携帯端末が第１の地点を通過したことを検出する改札通過検出手段であり、
前記条件とは、前記携帯端末が前記第１の地点を通過した場合であることを特徴とする請求項２２に記載のデータ送受信システム。
【請求項２４】
前記第１の地点とは、改札またはゲートであることを特徴とする請求項２３に記載のデータ送受信システム。
【請求項２５】
前記携帯端末は、前記改札またはゲートを通過してから次に改札またはゲートを通過するまでの経過時間を示す時間情報を送信する第３の送信手段を備え、
前記情報処理装置は、前記時間情報を受信する第３の受信手段を備え、
前記ダイジェスト情報生成手段は、前記第３の受信手段により受信した情報が示す時間長に対応した再生時間長のダイジェストを生成することを特徴とする請求項２４に記載のデータ送受信システム。
【発明の詳細な説明】
【技術分野】
【０００１】
本発明は、携帯端末および情報処理装置、データ送受信システムに関する。
【背景技術】
【０００２】
近年、動画や音楽等の様々なコンテンツをダウンロードしたり、再生や閲覧が可能な携帯情報端末の普及が進んでいる。
【０００３】
特許文献１には、インデックスが付加されたマルチメディアコンテントから所定のキーワードに基づいてシーンを抽出してダイジェストを作成するダイジェスト提供システムからダイジェストをダウンロードする携帯電話機であって、ダイジェスト提供システムに前記所定のキーワードを嗜好情報として送信する嗜好情報送信手段と、嗜好情報に基づいて作成されたダイジェストをダウンロードするダイジェスト取得手段と、ダイジェストを再生するダイジェスト再生手段と、を有することを特徴とする携帯電話機が記載されている（請求項９）。
【０００４】
【特許文献１】特開２００３−５０８１０号公報
【発明の開示】
【発明が解決しようとする課題】
【０００５】
携帯端末でコンテンツを閲覧するという使用シーンを想定すると、通勤時間等の比較的短い空き時間における使用が考えられる。このような場合、ユーザがダイジェスト情報を要求してから、サーバがダイジェストを生成していたのでは、その分携帯端末が受信したダイジェストを見るための時間が減ってしまう。
【０００６】
また、所定の時刻にダイジェストを送受信する方法では、受信したダイジェストを閲覧することをユーザが望んでもおらず、また、受信したダイジェストが閲覧される可能性が低い場合もある。このような場合は記憶容量と、通信インフラが無駄に利用されることとなる。
【０００７】
そこで、本発明の目的は、容易にダイジェストを視聴可能な携帯端末と、ダイジェストを送信する情報処理装置と、データ送受信システムを提供することである。
【課題を解決するための手段】
【０００８】
上記課題を解決するため、本発明の携帯端末は、ユーザに関連する情報である関連を取得し、取得された関連情報を保持し、保持された関連情報を送信し、携帯端末の位置を検出し、検出された位置が予め設定された条件を満たす場合に、ダイジェストの送信を要求する送信要求信号を送信し、関連情報に基づいたダイジェストを受信することを特徴とする。
【０００９】
本発明の情報処理装置は、情報を記憶し、ユーザに関連する情報である関連情報を受信し、関連情報を受信すると受信した関連情報に基づいて記憶された情報を要約したダイジェスト情報を生成し、生成されたダイジェスト情報を保持し、ダイジェスト情報の送信を要求する送信要求信号を受信し、送信要求信号を受信すると保持されたダイジェスト情報を送信することを特徴とする。
【発明の効果】
【００１０】
本発明によると、そこで、本発明の目的は、容易にダイジェストを視聴可能な携帯端末と、ダイジェストを送信する情報処理装置と、データ送受信システムを提供できる。
【発明を実施するための最良の形態】
【００１１】
図１は、データ送受信システムの構成例を示すブロック図である。データ送受信システムは、携帯端末１と、サーバ２、および無線、有線またはメディアを介した通信路とから構成される。以下の説明において、「コンテンツ」とは音楽、動画、音楽、音声、テキストデータ等を示す情報をいう。「ダイジェスト」とは、コンテンツを要約した情報をいう。
【００１２】
携帯端末１は、ユーザが持ち歩いて活用する情報端末であり、たとえば携帯電話やＰＤＡである。携帯端末１は、ユーザの操作を取得する入力装置１０、ユーザの音声を取得するマイク１１、ユーザの動作を取得するカメラ１２、情報を保持する記憶装置３０を具備する。入力装置１０は、たとえばキーボードや、タッチパネルのようなユーザの入力する文字や操作を取得できる装置で構成される。記憶装置３０は大容量の情報を保持することができるストレージ装置であり、たとえばハードディスクやフラッシュメモリなどで実現される。
【００１３】
携帯端末１は、カメラ１２またはマイク１１から得た情報を認識する音声画像認識装置１１０と、入力装置１０からユーザの操作を取得する操作取得装置１００と、操作取得装置１００で得た情報あるいは前記音声画像認識装置１１０から得た情報とからキーワード３０１を取得するキーワード取得装置１０１と、操作取得装置１００で得た情報からキーワードに対する評価値３０２を取得する評価取得装置１０２と、キーワード３０１及び評価値３０２とから評価情報４０を生成する評価情報生成装置１０３と、評価情報４０を記憶装置３０に保持する評価情報保持装置１０４と、サーバ２と通信を行う通信装置１０７と、通信装置１０７が回線を接続したことを検出する回線接続検出装置１０６と、携帯端末１の位置を検出する位置検出装置１１１と、携帯端末１に関連する情報を生成する関連情報生成装置１１２と、評価情報４０を通信装置１０７と介してサーバ２に送信する評価情報送信装置１０５と、通信装置１０７を介してサーバ２からダイジェスト５１を取得して記憶装置３０に保持するダイジェスト映像保持装置１０８と、ダイジェスト５１を再生するダイジェスト映像再生装置１０９とから構成される。
【００１４】
音声画像認識装置１１０は、音声または画像からキーワードを抽出する機能を備える。音声画像認識装置１１０は、例えば、ＣＰＵ等の制御装置やメモリ等で構成される。音声認識は、例えば、入力された音声の特徴量と、記憶装置に記憶されている認識辞書を照らし合わせて行う。画像解析は、例えば、入力された画像の特徴量と、記憶装置に記憶されているテンプレート画像とのマッチングにより行う。また、例えば、文字認識用の制御装置を備えてもよいし、ソフトウェア的な制御により文字認識を行ってもよい。この音声画像認識装置１１０は、評価情報４０を入力するために機能する。
【００１５】
位置検出装置１１１は、携帯端末の位置を取得する装置である。位置検出装置１１１は、例えば、無線ＩＣであって、所定の場所に設置された無線ＩＣリーダと通信を行うことにより位置を検出するものである。ＧＰＳを利用してもよいし、無線基地局からの電波強度を３点計測することにより現在位置を取得する装置でもよい。しかし、ここでいう位置検出装置とは、携帯端末の物理的な座標を算出するものには限定されず、予め決められた区域等に出入りしたことだけを検出することができればよい。
【００１６】
位置検出装置１１１の具体的な例として、モバイルSuica（登録商標）等の無線ＩＣを有する改札通過検出装置がある。鉄道・バス・航空のゲートあるいは改札に設置されたＩＣリーダ等の読取装置と通信を行い改札を通過したことを検出する。これにより、携帯端末１が改札を通過したことを把握し、サーバ２に通知する契機を得ることができる。電車に乗車している時間は、ダイジェストの閲覧に好適である。
【００１７】
その他、自宅や職場に出入りするための鍵の代わりに、無線ＩＣ読み取り装置が設置されている場合は、携帯端末１に無線ＩＣを備えることにより自宅や職場への出入りを検出することができる。職場から出たとき、つまり退社を検出すると、サーバ２との通信を開始し、ダイジェストを送受信する構成を採る事も可能である。
【００１８】
関連情報生成装置１１２は、携帯端末１に関連する情報を生成する装置またはプログラムである。ＣＰＵ等の制御装置、メモリ等、及び格納されるプログラム等で構成される。関連情報の種類としては、位置に関連する情報、時間に関連する情報がある。このうち、位置に関連する情報は、例えば、ユーザが改札に入ったのか、改札から出たのか、自宅を出たのか、あるいは退社したのか等、携帯端末１の位置に関連した情報である。また、時間に関連する情報としては、例えば、電車に乗車している乗車時間がある。この乗車時間は、前述の位置検出装置１１１で改札に入った時刻を取得しておき、次に改札から出た時刻との差から算出する。定期券の乗車区間を示す情報をユーザが入力しても、あるいは携帯端末１から取得し、乗車区間を示す情報から乗車する時間を算出する構成としてもよい。この経過時間に合わせた再生時間を持つダイジェストを生成することにより、電車の乗車時間に合わせてダイジェストを閲覧する使い方が可能となる。
【００１９】
経過時間に加え、日々電車に乗車する時間を記憶しておけば、ユーザのおよその乗車時刻を示す乗車時刻情報が算出される。サーバ２は、記憶装置２にこの乗車時刻情報を記憶しておくことで、ダイジェストの生成を開始する時刻を算出することができる。
【００２０】
次に、評価情報保持装置１０４について、図２を用いて説明する。
【００２１】
評価情報保持装置１０４は、携帯端末１の情報を格納するメモリ、ハードディスクドライブなどの記憶装置ないしデータベース装置であり、携帯端末１が自由に利用できる仕組みを持つデータベースである。評価情報保持装置１０４は、１または複数の評価情報３００（図１における４０と同一）と、端末状態情報３０３と時間情報３０４を保持する。評価情報３００は、操作取得装置１００を介して取得するキーワード３０１と、キーワード３０１に対するユーザの評価を一意に表す値である評価値３０２とから構成される。評価情報は、ユーザの嗜好を示す情報として利用される。
【００２２】
キーワード３０１は、ユーザの嗜好を示す情報を、単語として区切られた文字列をテキストで記述した情報である。キーワード３０１を取得するための操作取得装置１００の画面構成については図３で後述する。
【００２３】
端末状態情報３０３は、たとえば、携帯端末１が改札の外にいるのか、改札を通過しているのか、改札の中にいるのかといった位置に関する状態、あるいは、携帯端末１のどの機能を使用中であるかといった状態を一意に表す数値である。この位置に関する状態は、位置検出装置１１０により取得される。取得されるタイミングは、例えば、携帯端末１が改札の中に入ったことを位置検出装置１１０が検出するときである。時間情報３０４は、例えば、前回改札に入ってから次に改札をでるまでの間の経過時間を示す。この時間情報３０４は、関連情報生成装置１１２より取得される。時間情報３０４は、例えば携帯端末１が改札から出た後に取得される。
【００２４】
サーバ２は、たとえばテレビやハードディスクドライブレコーダ、パーソナルコンピュータ、セットトップボックスのような情報家電機器、あるいは駅の自動改札機のような端末機器、あるいはＡＳＰ等に利用されるサーバ等の情報処理装置である。サーバ２は、携帯端末１と無線あるいは有線の通信装置２００を介して接続することができる情報処理装置である。記憶装置３１は、大容量の情報を保持することができるストレージ装置であり、たとえばハードディスクやフラッシュメモリなどで実現される。この記憶装置３１には、あらかじめ動画５０が記録されている。動画５０は、たとえばテレビ番組を録画したコンテンツや、ＤＶＤやＣＤといった他メディアで提供されるコンテンツであってもよい。また、コンテンツは、音声のみで構成されていてもよい。また、各コンテンツには、そのコンテンツのジャンル情報、シーン毎の特徴を示す付帯情報、メタ情報が付加されている。ジャンルとは、例えば、そのコンテンツがスポーツ番組なのか、ニュース番組なのか、子供向けなのか、大人向けなのか等の各コンテンツの種類であり、ジャンル情報とはジャンルを示す情報である。
【００２５】
サーバ２は、携帯端末１と通信を行う通信装置２００、通信装置２００を利用して評価情報を受信する評価情報受信装置２０１、受信した評価情報を保持する評価情報保持装置２０２、記憶装置３１に記憶された動画と、評価情報を基にダイジェストを生成するダイジェスト生成装置２０３、生成されたダイジェストを保持するダイジェスト保持装置２０４、保持されたダイジェストを、通信装置２００を利用して送信するダイジェスト送信装置２０５、回線の接続を検出する回線接続検出装置２０６等を備える。これら各装置は、ＣＰＵ等の制御装置、メモリ等の記憶装置、記憶装置に格納されるプログラム、通信デバイス等の任意の組み合わせにより構成される。
【００２６】
ダイジェスト生成装置２０３は、動画５０に付加された付帯情報と、評価情報保持装置２０２に保持された評価情報４１に基づいて、動画５０のダイジェストを生成する。たとえば、動画５０にシーン毎の特徴を示す付帯情報ないしメタ情報を付加し、ある一定値以上の評価値３０２を持つキーワード３０１に一致する情報が動画５０の付帯情報ないしメタ情報に含まれていればそこから適切な範囲の動画を切り出して生成するといった方法で生成できる。その他、評価値３０２の高いキーワード３０１を含むシーンを切り出す仕組みであればどのような方法であってもよい。
【００２７】
次に、操作取得装置１００の画面構成について、図３を用いて説明する。
【００２８】
操作取得装置１００は、入力装置１０からキーワード３０１及び評価値３０２を取得する装置であり、その入手方法として、キーボードからの文字列の直接入力またはタッチパネルから文字を認識して文字列を入力する方法がある。図３は操作取得装置１００において、評価値３０２を取得する一例を図示したものである。
【００２９】
携帯端末１において、操作取得装置１００の設置例として、液晶ディスプレイやブラウン管ディスプレイ、プラズマディスプレイなどの表示装置２０の上方に、タッチパネルのような座標位置を取得することができるセンサーデバイスを入力装置１０として重ねて設置する。そして、表示装置２０の画面上には、動画５０やダイジェスト５１を表示したり、動画５０に対する説明文を表示する文字領域４００と、キーボードなどから入力した情報を表示する入力領域４０１と、文字領域４００上の文字列の一部を選択してキーワード３０１を明示する選択領域４０６と、該選択領域４０６に対する評価値３０２を設定するための正評価ボタン４０２及び負評価ボタン４０３、及び評価値３０２の最大を１００としたときの割合を設定するためのスライダー４０４と現在の評価値３０２を表す評価バー４０５とが配置される。
【００３０】
文字領域４００には、キーボードやタッチパネルから入力された文字列や動画５０あるいはダイジェスト５１の説明文を表示する領域であり、タッチパネルを介して位置を示すことにより単語として切り出したキーワードを図３に示すように選択領域４０６として図示する。
【００３１】
入力領域４０１は、キーボードやタッチパネルから入力された文字列を一時的に表示する領域である。正評価ボタン４０２は、現在選択されているキーワード３０１に対し、正方向の評価を与えるための指示ボタンであり、たとえばキーワード４０６に対して正評価ボタン４０２を押下することにより評価値３０２に正の値を加算する。
【００３２】
負評価ボタン４０３は、現在選択されているキーワード３０１に対し、負方向の評価を与えるための指示ボタンであり、たとえばキーワード４０６に対して負評価ボタン４０２を押下することにより評価値３０２に負の値を加算する。
【００３３】
スライダー４０４は、現在の評価値３０２を表示したり、視覚的に評価バー４０５を用いて評価値３０２を変更するグラフィカルインタフェースである。たとえば、評価バー４０５を右方向に動かすことにより評価値３０２は正の自然数を加算する。また、評価バー４０５を左方向に動かすことにより評価値３０２は負の自然数を加算する。また、評価バー４０５を右端に動かすことにより評価値３０２を最大値に設定することが可能である。また評価バー４０５を左端に動かすことにより評価値３０２を最小値に設定することが可能である。
【００３４】
次に、本発明における実施例、つまりキーワード３０１に対し評価情報３００を生成し、ユーザの操作により評価値を操作する評価情報生成装置１０３の動作の一例について、図４のフローチャートを用いて説明する。
【００３５】
まず、表示領域４００に表示されている文字列をタッチパネルなどの位置情報を元に選択領域４０６を指定し、そこに描画されている文字列を取得する（１００１）。もし文字列が選択されていないのであれば、ステップ１００１に戻り、継続して文字列を表示する（１００２）。文字列が選択されているのであれば、その文字列を単語毎に切り出してキーワード３０１を選択する（１００３）。また、キーワードは、画像音声認識装置１１０により取得されてもよいものとする。
【００３６】
次に、評価情報保持装置１０４に保持されている評価情報３００を検索し、選択されたキーワード３０１と同一のキーワード３０１を持つ評価情報３００を取得する（１００４）。もし同一のキーワード３０１を持つ評価情報がなければ、デフォルトの評価値３０２及び該キーワード３０１から新しく評価情報を生成し（１００６）、評価情報保持装置１０４の管理する記憶装置３０に該評価情報を登録し（１００７）、ステップ１００８へ進む。ステップ１００５において、同一のキーワードを持つ評価情報３００が見つかったのであれば、該評価情報３００を取得する（１００８）。
【００３７】
次に、操作取得装置１００で取得したユーザの操作によりキーワード３０１に対する評価情報を取得する（１０１６）。これは具体的には、正評価ボタン４０２、負評価ボタン４０３あるいは評価バー４０５をユーザが操作することにより達成される。もし、正評価ボタン４０２、負評価ボタン４０３あるいは評価バー４０５をユーザが操作しなければ、評価情報３００の変化がないのでステップ１０１３へ進む。もし正評価ボタン４０２を操作した、あるいは評価バー４０５を正方向に移動したのであれば評価情報３００の評価値３０２にそれぞれ適切な正の値を加算する。これにより評価値をユーザの操作により加点することができる（１０１０）。もし、ステップ１００９において負評価ボタン４０３を操作した、あるいは評価バー４０５を負方向に移動したのであれば評価情報３００の評価値３０２にそれぞれ適切な正の値を減算する。これにより評価値をユーザの操作により減点することができる（１０１１）。
【００３８】
次に、もし評価値３０２が一定値以下であった場合には（１０１２）、該評価情報３００はすでに意味をなさないと判断して評価情報保持装置１０４のデータベースから該評価情報３００を削除し（１０１４）、ステップ１０１５へ進む。もし一定値以下でないのであれば、該評価情報３００を評価情報保持装置１０４に登録済みの評価情報に対し該評価情報を上書きする（１０１３）。
【００３９】
そして、現在選択されている選択領域４０６を解除して（１０１５）ステップ１００１へ戻る。以上の動作により、キーワード３０１に対し評価情報３００を生成し、ユーザの操作により評価値３０２を操作する評価情報生成装置１０３の動作を実現する。
【００４０】
次に、図５に示すフローチャートを用いて、サーバ２との回線が接続したタイミングあるいは携帯端末１が改札を通過したタイミングで携帯端末１が蓄えた評価情報３００をサーバ２に伝える仕組み、回線が接続していない間にダイジェスト５１を生成しておく仕組み、及び回線が接続したタイミングで、改札を入ってから出るまでの経過時間内に収まるダイジェスト５１を携帯端末１に送信する仕組みの一例について説明する。
【００４１】
まず、携帯端末１は、通信回線の状態を取得し（２００１）、サーバとの回線が接続したか否かを判断する（２００２）。このサーバ２と回線を接続するタイミングは、ユーザが携帯端末１を操作して、サーバ２にダイジェストの送信を要求したとき、あるいは、位置検出装置１１０により、改札に入ったことを検出したときである。
【００４２】
もし非接続であれば、ステップ２００１に戻り継続して回線が接続されるまで待機する。次に、位置検出装置１１０により検出された位置が、携帯端末１１０が改札を通過したのか判定する（２００３）。改札を通過したならば、評価情報３００に端末状態情報３０３を付加し、もし、時間情報３０４が存在すれば評価情報に付加し、（２００４）ステップ２００５を実行する。
【００４３】
サーバ２は、通信回線の状態を取得し（３００１）、携帯端末１との回線が接続したか否かを判断する（３００２）。もし非接続であれば、ステップ３００１に戻り継続して回線が接続されるまで待機する。
【００４４】
ステップ２００２において、回線が接続されたことを検出したら、評価情報保持装置１０４が保持する評価情報３００を通信回線を介してサーバ２に送信する（２００５）。
【００４５】
サーバ２では、携帯端末１が送信した評価情報３００を受信し（３００３）、過去に携帯端末１から送信された評価情報３００との差異を調べ（３００４）、もし差異がある場合には、差異の有無を示す差異情報を携帯端末１に送信する（４００５）、評価情報３００をサーバ２の記憶装置３１に保存する（３００６）。ステップ３００４において、差異がない場合は、差異がある旨を送信せずに評価情報３００をサーバ２の記憶装置３１に保存する（３００６）。
【００４６】
ここで、「差異がある」とは、携帯端末１からサーバ２に送信された評価情報３００に含まれるキーワード及び評価値３０２と、サーバ２の記憶装置３１に記憶され、後のステップで送信されるであろうダイジェストに付加された付帯情報とが相反していることをいう。
【００４７】
携帯端末１では、差異の有無を示す情報をサーバ２から受信し、差異があるか否かを判定する（２００６）。差異がある旨を通知された場合、ユーザに対して表示装置３０を介して差異がある旨を表示し、本処理を停止するか否かをユーザに選択させる。ユーザが終了する操作を行った場合には、ステップ２００１へもどり、回線の接続を待機する（２００１）。ステップ２００７において、ユーザが終了しない操作を行った場合には、ステップ２００８を実施する。ステップ２００８では、サーバ２に対し、現在記憶装置３１に保持してあるダイジェスト５１の送信を要求する信号であるダイジェスト送信要求信号が送信される（２００８）。
【００４８】
サーバ２は、送信要求を受けるまで待機状態を続け（３００７）、送信する旨を受信したならば、ダイジェスト５１が送信可能か否かを判定する（３００８）。送信が不可能な場合とは、ダイジェスト５１が生成されていない場合等である。送信が可能な場合は、記憶装置３１に保持しているダイジェスト５１を取得し（３００９）、携帯端末１に送信し（３０１０）、ステップ３０１１を実行する。
【００４９】
携帯端末１では、ステップ３０１０で送信したダイジェスト５１を受信し（２００９）、記憶装置３０に該ダイジェスト５１を保存し（２０１０）、ステップ２００１へもどって回線の接続を待機する（２００１）。
【００５０】
ステップ３０１１において、記憶装置３１に保持している動画５０を取得し（３０１１）、評価情報３００と動画５０の情報からダイジェスト５１を生成する（３０１２）。
【００５１】
また、評価情報３００の端末状態情報３０３及び時間情報３０４に示される経過時間に合わせて、ダイジェストの再生時間を調整する（３０１２）。
【００５２】
また、予め、同一のコンテンツから、それぞれ異なる再生時間長を持つ複数のダイジェストを作成しておいてもよい。例えば、再生時間が５分のダイジェスト、再生時間が１０分のダイジェスト、及び再生時間が２０分のダイジェスト、の３つのダイジェストを生成する構成としてもよい。そして、次回回線が接続された際に送信される端末状態情報３０３と、ダイジェストの再生時間を対応させて、携帯端末１に送信する構成をとってもよい。例えば、端末状態情報３０３から、ユーザが改札にはいったことを示している場合は、時間情報３０４と合う再生時間長を持つダイジェスト５１を送受信する。また、ダイジェスト５１に動画のジャンルを示す情報が付加されている場合は、サーバ２は、動画５０に付加されたダイジェスト情報と、受信した端末状態情報３０３とを対応させたテーブルを記憶装置３１に記憶させる構成を採ってもよい。そして、ジャンル毎にダイジェストを作成しておき、端末状態情報３０３に携帯端末１に送信するダイジェストを変化させてもよい。これにより、携帯端末１のユーザは、端末状態に応じた再生時間長およびジャンルのダイジェストを受信することができる。
【００５３】
ステップ３０１２で生成したダイジェスト５１は、次回回線が接続された際に、携帯端末１に送信される。
【００５４】
このように、回線が次に接続される前にダイジェスト５１の生成がされる、もしくは生成が開始されるので、回線を接続してからダイジェスト５１が送受信されるまでに、ダイジェストを生成する時間がかからず、空き時間におけるダイジェストの閲覧を一層効率的に行うことができる。ユーザが要求を出して回線を接続した場合、改札に入ったことを契機として回線を接続した場合に、ダイジェストの受信にかかる時間が軽減される。
【００５５】
ここで、サーバ２が、ホームサーバがハードディスクレコーダのような自宅に設置される情報家電機器の場合は、自宅で閲覧したコンテンツの視聴履歴を記憶装置３１に記憶しておき、携帯端末１に送信するダイジェストを合成する際に、自宅で視聴したコンテンツをダイジェスト５１に含めない構成をとってもよい。そうすることによって、携帯端末１のユーザは、自宅で見たものを、改めてダイジェストで観ることが減り。一層効率的なコンテンツ閲覧を行うことができ、使い勝手が良くなる。
【００５６】
ステップ３０１２で生成したダイジェスト５１は、記憶装置３１に保存し（３０１３）、ステップ３００１へもどって回線の接続を待機する（３００１）。
【００５７】
以上の動作により、サーバ２との回線が接続したタイミングあるいは携帯端末１が改札を通過したタイミングで携帯端末１が蓄えた評価情報３００をサーバ２に伝える仕組み、回線が接続していない間にダイジェスト５１を生成しておく仕組み、及び回線が接続したタイミングで、改札を入ってから出るまでの経過時間内に収まるダイジェスト５１を携帯端末１に送信する仕組みを実現することが可能となる。
【００５８】
本動作例によると、携帯端末１が蓄えたユーザ嗜好をサーバとの回線が接続したタイミングでサーバに伝える仕組みを持つことにより、サーバ２は逐次、ユーザ嗜好情報を受信し、更新し、蓄積することができる。回線が接続していない間にダイジェストを生成しておく仕組みを備えることにより、ユーザがダイジェスト情報の送信要求を出す前に、ダイジェスト情報が生成される。また、回線が接続したタイミングあるいは改札を通過したタイミングで、改札を入ってから出るまでの経過時間内に収まるダイジェストを携帯端末に送信する仕組みが実行される。
【００５９】
次に、本実施例の別の動作例を、図６のフローチャートを用いて説明する。本フローチャートでは、逐次評価情報３００を送受信し、ユーザによる操作、あるいは位置検出装置１１１により、携帯端末１が改札を通過した場合にダイジェストが送受信される。
【００６０】
まず、携帯端末１は、通信回線の回線状態を取得し（２００１）、サーバとの回線が接続したか否かを判断する（２００２）。本フローチャートにおいて、サーバ２と回線を接続する契機となるのは、ユーザが携帯端末１を操作して、携帯端末１の通信機能を用いて、メールの送信、ワールドワイドウェブの閲覧等を行う場合等である。また、図示しないタイマー装置を用いて、所定の周期、例えば、６０分ごとに評価情報３００を送信する構成でもよい。また、所定の周期とは、任意に変更可能である。
【００６１】
ステップ２００２において、接続が完了している場合は、評価情報保持装置に記憶された評価情報３００のうち、キーワード３０１と評価値３０２を送信する（２００５）。これにより、記憶装置３０に、評価情報３００を蓄積しておけば、携帯端末１の利用するアプリケーションのうち、通信機能を有するもの利用する際に、評価情報がサーバ２に送信されることとなる。
【００６２】
サーバは、評価情報３００を受信すると（３００３）、記憶装置３１に記憶された動画５０と、評価情報３００に基づいて、ダイジェスト５１の生成を開始する（３０１１、３０１２）。生成したダイジェストは記憶装置５１に保存される（３０１３）。
【００６３】
次に、携帯端末１は、改札を通過したか否かを判定する（２００３）。改札を通過していなければ、ダイジェストの送信を要求する操作である要求操作がユーザによってされたかを判定する（２０１１）。位置検出装置１１０により改札を通過したことが検出された場合、あるいはユーザの操作によりダイジェストの送信が要求された場合には、再び回線が接続され、ダイジェストの送信を要求する信号であるダイジェスト送信要求が携帯端末１からサーバ２に送信される（２００８）。改札を通過しておらず、ユーザによる要求操作もされていない場合は、２００１に戻る。
【００６４】
サーバ２は送信要求を受けるまで待機状態を続け（３００７）、ダイジェスト５１が送信可能か否かを判定する（３００８）。送信が不可能な場合とは、ダイジェスト５１が生成されていない場合等である。送信が可能な場合は、ダイジェスト５１を携帯端末１に送信する。送信が可能な場合は、記憶装置３１に保持しているダイジェスト５１を取得し（３００９）、携帯端末１に送信する（３０１０）。
【００６５】
携帯端末１では、ステップ３０１０で送信されたダイジェスト５１を受信し（２００９）、記憶装置３０に該ダイジェスト５１を保存し（２０１０）、ステップ２００１へもどって回線の接続を待機する（２００１）。
【００６６】
本動作例によると、逐次評価情報３００がサーバ３００に送信され、それに基づいてダイジェスト５１が生成される。携帯端末１の利用者は、改札を通過した場合あるいは、ダイジェストの送信を要求する操作を行ったときに、既に生成されているダイジェスト５１を受信できるので、要求を出してから、ダイジェスト５１を受信するまでの時間が短縮される。特に、電車、バス等を利用して移動する際には、ダイジェストを受信するための要求操作を行わなくてもダイジェストが携帯端末に送信されるので、使い勝手がより向上する。
【００６７】
本実施例によると、評価情報を送信すると、ダイジェストの生成が開始されるので、ダイジェストの受信をリクエストしてから生成を行う場合に比べ、携帯端末の利用者がダイジェストを受信するため操作を開始してからより早く、ダイジェストを視聴することが可能となる。また、ダイジェストを視聴する可能性が高い場所に入った場合に、より早くダイジェストを視聴することが可能となる。また、ユーザがダイジェストを観たいとき、観る可能性が高いときにダイジェストを送受信するので、所定の時刻にダイジェストを受信する場合に比べ、閲覧されることのないダイジェストが記憶、あるいは送受信されることが軽減される。その結果、携帯端末に記憶装置にかかる負荷と、通信インフラにかかる負荷が軽減される。また、本実施例は、ユーザの嗜好に応じたダイジェストをサーバで生成して、携帯端末で視聴するユーザ嗜好対応視聴システムにおいても有効である。
【００６８】
なお、本発明は、以上の実施例に限定されることなく、特許請求の範囲に記載された発明の範囲内で、種々の変更が可能であり、それらも本発明の範囲内に包含される。さらに、本明細書において、手段とは、必ずしも物理的手段を意味するものではなく、各装置の機能が、ソフトウェアによって実現される場合も包含する。また、一つの装置の機能が二以上の装置により実現されても、二以上の装置の機能が一つの装置により実現されてもよい。
【産業上の利用可能性】
【００６９】
本発明は，動画等を要約したダイジェスト情報の送受信を行うデータ送受信システムにおいて有効である。
【図面の簡単な説明】
【００７０】
【図１】携帯端末１およびサーバ２のブロック図。
【図２】評価情報保持手段１０４及び評価情報３００の説明図。
【図３】操作取得手段１００においてユーザの評価を取得する画面の説明図。
【図４】ユーザの評価を取得し評価情報３００を生成する動作例のフローチャート。
【図５】システムの動作例を示すフローチャート。
【図６】システムの動作例を示すフローチャート。
【符号の説明】
【００７１】
１…携帯端末
２…サーバ
１０…入力装置
１１…マイク装置
１２…カメラ装置
２０…表示装置
３０、３１…記憶装置
【図１】
2007258856.tif 000003
【図２】
2007258856.tif 000004
【図３】
2007258856.tif 000005
【図４】
2007258856.tif 000006
【図５】
2007258856.tif 000007
【図６】
2007258856.tif 000008